(57)【特許請求の範囲】
【請求項１】
複数の絶縁層と、前記複数の絶縁層のそれぞれの上面に少なくとも１個以上形成された複数の渦巻き状の導電パターンと、前記複数の導電パターンのうち一部の導電パターンからなる第１のコイルと、前記複数の導電パターンのうち残りの導電パターンからなる第２のコイルとを備え、前記第１のコイルを構成する導電パターン同士、第２のコイルを構成する導電パターン同士は上面視にて上下に対向せず、前記第１のコイルを構成する導電パターンと、第２のコイルを構成する導電パターンのうち上下方向に近接する導電パターン同士は前記絶縁層を介して上下に対向し、かつ少なくとも１枚の絶縁層の上面において前記第１のコイル、第２のコイルをそれぞれ構成する導電パターンの一部のみが互いに平行となるように形成した積層コイル部品。
【請求項２】
第１の絶縁層の上面に設けられた第１の導電パターン、渦巻き状の第２の導電パターンと、前記第１、第２の導電パターンの上面に設けられた第２の絶縁層と、前記第２の絶縁層の上面に設けられた渦巻き状の第３、第４の導電パターンと、前記第３、第４の導電パターンの上面に設けられた第３の絶縁層と、前記第３の絶縁層の上面に設けられた渦巻き状の第５の導電パターンと、前記第１、第３、第５の導電パターンを互いに接続することによって構成された第１のコイルと、前記第２、第４の導電パターンを互いに接続することによって構成された第２のコイルとを備え、前記第１の導電パターンと第３の導電パターン、前記第３の導電パターンと第５の導電パターン、前記第２の導電パターンと第４の導電パターンは、それぞれ上面視にて上下方向に対向せず、前記第１の導電パターンと第４の導電パターン、前記第２の導電パターンと第３の導電パターン、前記第４の導電パターンと第５の導電パターンは、それぞれ上面視にて上下方向に対向し、かつ前記第３の導電パターンと第４の導電パターンのみが互いに平行となるように形成した積層コイル部品。
【請求項３】
第１のコイルのインダクタンス値と第２のコイルのインダクタンス値が略同一となるようにした請求項２記載の積層コイル部品。
【請求項４】
第２の導電パターンと接続された第６の導電パターンを第１の絶縁層の下面に設けた請求項２記載の積層コイル部品。
【請求項５】
第１〜第３の絶縁層を非磁性材料で構成した請求項２記載の積層コイル部品。
【請求項６】
第１〜第３の絶縁層の中央部または周辺部に磁性体部を設けた請求項２記載の積層コイル部品。
【請求項７】
第１の絶縁層の下方、第５の導電パターンの上方のうち少なくとも一方に磁性体層を設けた請求項２記載の積層コイル部品。
【請求項８】
第１の絶縁層の下方、第５の導電パターンの上方に接着層を介して絶縁基板を設けた請求項２記載の積層コイル部品。
【発明の詳細な説明】
【技術分野】
【０００１】
本発明は、デジタル機器やＡＶ機器、情報通信端末等の各種電子機器に使用される積層コイル部品に関するものである。
【背景技術】
【０００２】
従来のこの種の積層コイル部品は、図５に示すように、第１のコイル１を構成する第１の導電パターン１ａと、第２のコイル２を構成する第２の導電パターン２ａを、第１の絶縁層３を介して対向させるとともに、第１、第２の導電パターン１ａ，２ａのそれぞれの一端部に接続された第１、第２の引出電極１ｂ，２ｂをそれぞれ第２の絶縁層４の上面、第３の絶縁層５の下面に積層することにより構成していた。さらに、第１の引出電極１ｂの上面と第２の引出電極２ｂの下面にそれぞれ磁性体層６を設けていた。また、前記第１のコイル１および第２のコイル２の中心部を貫通するように、第１〜第３の絶縁層３〜５に磁性体部７をそれぞれ形成していた。
【０００３】
そして、この積層コイル部品は、第１のコイル１と第２のコイル２とを磁気結合させることにより、トランスあるいはコモンモードノイズフィルタとして機能するようにしていた。
【０００４】
なお、この出願の発明に関する先行技術文献情報としては、例えば、特許文献１が知られている。
【特許文献１】特開２００１−７６９３０号公報
【発明の開示】
【発明が解決しようとする課題】
【０００５】
上記した従来の積層コイル部品においては、第１、第２の引出電極１ｂ，２ｂがそれぞれ第２、第３の絶縁層４，５を介して第１、第２の導電パターン１ａ，２ａと対向しているため、第１のコイル１あるいは第２のコイル２においてそれぞれ引出電極１ｂ，２ｂと導電パターン１ａ，２ａの間に大きな浮遊容量が発生し、これにより、高周波のコモンモードノイズはコイル１，２内を通過せずに浮遊容量を通過してしまうため、高周波帯域のコモンモードノイズを除去することが困難であるという課題を有していた。
【０００６】
本発明は上記従来の課題を解決するもので、高周波帯域のコモンモードノイズを除去することができる積層コイル部品を提供することを目的とするものである。
【課題を解決するための手段】
【０００７】
上記目的を達成するために本発明は、以下の構成を有するものである。
【０００８】
本発明の請求項１に記載の発明は、複数の絶縁層と、前記複数の絶縁層のそれぞれの上面に少なくとも１個以上形成された複数の渦巻き状の導電パターンと、前記複数の導電パターンのうち一部の導電パターンからなる第１のコイルと、前記複数の導電パターンのうち残りの導電パターンからなる第２のコイルとを備え、前記第１のコイルを構成する導電パターン同士、第２のコイルを構成する導電パターン同士は上面視にて上下に対向せず、前記第１のコイルを構成する導電パターンと、第２のコイルを構成する導電パターンのうち上下方向に近接する導電パターン同士は前記絶縁層を介して上下に対向し、かつ少なくとも１枚の絶縁層の上面において前記第１のコイル、第２のコイルをそれぞれ構成する導電パターンの一部のみが互いに平行となるように形成したもので、この構成によれば、第１のコイルにおいて上下方向に近接する導電パターン同士間の距離、第２のコイルにおいて上下方向に近接する導電パターン同士間の距離が長くなるため、第１のコイルまたは第２のコイルにおける導電パターン間に発生する浮遊容量を低下させることができ、これにより、高周波帯域でのコモンモードノイズを除去することができ、さらに、第１のコイル、第２のコイルをそれぞれ構成する導電パターンは互いに平行になっているため、第１のコイルと第２のコイルとの間の磁気結合が低下することはなく、これにより、第１、第２のコイルのコモンモード成分のインピーダンスが低下するのを防止できるという作用効果が得られるものである。
【０００９】
本発明の請求項２に記載の発明は、第１の絶縁層の上面に設けられた第１の導電パターン、渦巻き状の第２の導電パターンと、前記第１、第２の導電パターンの上面に設けられた第２の絶縁層と、前記第２の絶縁層の上面に設けられた渦巻き状の第３、第４の導電パターンと、前記第３、第４の導電パターンの上面に設けられた第３の絶縁層と、前記第３の絶縁層の上面に設けられた渦巻き状の第５の導電パターンと、前記第１、第３、第５の導電パターンを互いに接続することによって構成された第１のコイルと、前記第２、第４の導電パターンを互いに接続することによって構成された第２のコイルとを備え、前記第１の導電パターンと第３の導電パターン、前記第３の導電パターンと第５の導電パターン、前記第２の導電パターンと第４の導電パターンは、それぞれ上面視にて上下方向に対向せず、前記第１の導電パターンと第４の導電パターン、前記第２の導電パターンと第３の導電パターン、前記第４の導電パターンと第５の導電パターンは、それぞれ上面視にて上下方向に対向し、かつ前記第３の導電パターンと第４の導電パターンのみが互いに平行となるように形成したもので、この構成によれば、第１のコイルにおいて隣接する導電パターン同士間の距離、第２のコイルにおいて隣接する導電パターン同士間の距離が長くなるため、第１のコイルまたは第２のコイルにおける導電パターン間に発生する浮遊容量を低下させることができ、これにより、高周波帯域でのコモンモードノイズを除去することができ、さらに、第３の導電パターンと第４の導電パターンは互いに平行となるように形成しているため、第１のコイルと第２のコイルとの間の磁気結合が低下することはなく、これにより、第１、第２のコイルのコモンモード成分のインピーダンスが低下するのを防止できるという作用効果が得られるものである。
【００１０】
本発明の請求項３に記載の発明は、特に、第１のコイルのインダクタンス値と第２のコイルのインダクタンス値が略同一となるようにしたもので、この構成によれば、第１のコイルと第２のコイルの平衡度が良くなるため、コモンモードノイズの発生を抑えることができるという作用効果が得られるものである。
【００１１】
本発明の請求項４に記載の発明は、特に、第２の導電パターンと接続された第６の導電パターンを第１の絶縁層の下面に設けたもので、この構成によれば、最上部、最下部に形成できる導電パターンの巻き数を多くすることができるため、形状を大きくしなくても第１、第２のコイルのインダクタンス値を大きくすることができるという作用効果が得られるものである。
【００１２】
本発明の請求項５に記載の発明は、特に、第１〜第３の絶縁層を非磁性材料で構成したもので、この構成によれば、非磁性材料によって第１、第２のコイルで発生した磁界が磁性体で遮られることなく、第１のコイルと第２のコイルとの間を交差し易くなるため、非磁性体材料で形成された絶縁層を介して対向する導電パターン間の磁気結合を大きくすることができ、これにより、第１、第２のコイルのコモンモード成分のインピーダンスを大きくすることができ、さらに、リーケージインダクタンスも減らすことができるという作用効果が得られるものである。
【００１３】
本発明の請求項６に記載の発明は、特に、第１〜第３の絶縁層の中央部または周辺部に磁性体部を設けたもので、この構成によれば、第１のコイルと第２のコイルとの間を交差する磁界を磁性体部により強めることができるため、第１、第２のコイルのコモンモード成分のインピーダンスを大きくすることができ、さらに、リーケージインダクタンスも減らすことができるという作用効果が得られるものである。
【００１４】
本発明の請求項７に記載の発明は、特に、第１の絶縁層の下方、第５の導電パターンの上方のうち少なくとも一方に磁性体層を設けたもので、この構成によれば、第１、第２のコイルで発生する磁界を磁性体層の存在により大きくすることができるため、第１、第２のコイルのコモンモード成分のインピーダンスを大きくすることができるという作用効果が得られるものである。
【００１５】
本発明の請求項８に記載の発明は、特に、第１の絶縁層の下方、第５の導電パターンの上方に接着層を介して絶縁基板を設けたもので、この構成によれば、絶縁層と一体焼成できない例えば樹脂基板などの絶縁基板と一体化することができ、また、積層性の悪い絶縁基板でも接着層を設けることにより容易に絶縁層と積層することができるため、用途に応じて絶縁層の材料、形状や絶縁基板の材料、形状の組み合わせを容易に選択することができるという作用効果が得られるものである。
【発明の効果】
【００１６】
以上のように本発明の積層コイル部品は、複数の絶縁層と、前記複数の絶縁層のそれぞれの上面に少なくとも１個以上形成された複数の渦巻き状の導電パターンと、前記複数の導電パターンのうち一部の導電パターンからなる第１のコイルと、前記複数の導電パターンのうち残りの導電パターンからなる第２のコイルとを備え、前記第１のコイルを構成する導電パターン同士、第２のコイルを構成する導電パターン同士は上面視にて上下に対向せず、前記第１のコイルを構成する導電パターンと、第２のコイルを構成する導電パターンのうち上下方向に近接する導電パターン同士は前記絶縁層を介して上下に対向し、かつ少なくとも１枚の絶縁層の上面において前記第１のコイル、第２のコイルをそれぞれ構成する導電パターンの一部のみが互いに平行となるように形成しているため、第１のコイルにおいて近接する導電パターン同士間の距離、第２のコイルにおいて近接する導電パターン同士間の距離は長くなり、これにより、第１のコイルまたは第２のコイルにおける導電パターン間に発生する浮遊容量を低下させることができるため、高周波帯域でのコモンモードノイズを除去することができ、さらに、第１のコイル、第２のコイルをそれぞれ構成する導電パターンは互いに平行になっているため、第１のコイルと第２のコイルとの間の磁気結合が低下することはなく、これにより、第１、第２のコイルのコモンモード成分のインピーダンスが低下するのを防止できるという優れた効果を奏するものである。
【発明を実施するための最良の形態】
【００１７】
（実施の形態１）
以下、実施の形態１を用いて、本発明の特に請求項１〜７に記載の発明について説明する。
【００１８】
図１は本発明の実施の形態１における積層コイル部品の分解斜視図、図２は同積層コイル部品の斜視図、図３は図１におけるＡ−Ａ線断面図である。
【００１９】
本発明の実施の形態１における積層コイル部品は、図１〜図３に示すように、第１の絶縁層１１ａの上面に設けられた第１、第２の導電パターン１２，１３と、前記第１、第２の導電パターン１２，１３の上面に設けられた第２の絶縁層１１ｂと、前記第２の絶縁層１１ｂに設けられた第３、第４の導電パターン１４，１５と、前記第３、第４の導電パターン１４，１５の上面に設けられた第３の絶縁層１１ｃと、前記第３の絶縁層１１ｃの上面に設けられた第５の導電パターン１６と、前記第１、第３、第５の導電パターン１２，１４，１６を互いに接続することによって構成された第１のコイル１７と、前記第２、第４の導電パターン１３，１５を互いに接続することによって構成された第２のコイル１８とを備えている。
【００２０】
また、前記第１の導電パターン１２と第３の導電パターン１４、前記第３の導電パターン１４と第５の導電パターン１６、前記第２の導電パターン１３と第４の導電パターン１５は、それぞれ上下方向に対向せず、かつ前記第３の導電パターン１４と第４の導電パターン１５は互いに平行となるように形成されている。
【００２１】
上記構成において、前記第１〜第３の絶縁層１１ａ〜１１ｃは、上下方向に積層され、下から第１の絶縁層１１ａ、第２の絶縁層１１ｂ、第３の絶縁層１１ｃの順に形成されている。また、この第１〜第３の絶縁層１１ａ〜１１ｃは絶縁性材料で構成されているが、Ｃｕ−Ｚｎフェライト、ガラスセラミック等の非磁性材料で構成すれば、この非磁性材料によって第１、第２のコイル１７，１８で発生した磁界が磁性体で遮られることなく第１のコイル１７と第２のコイル１８との間を交差し易くなるため、非磁性材料で形成された第１〜第３の絶縁層１１ａ〜１１ｃを介して対向する導電パターン１２〜１６間の磁気結合を大きくすることができ、これにより、第１、第２のコイル１７，１８のコモンモード成分のインピーダンスを大きくすることができ、さらに、リーケージインダクタンスも減らすことができる。
【００２２】
また、前記第１〜第３の絶縁層１１ａ〜１１ｃには、その中央部（第１〜第５の導電パターン１２〜１６に囲まれた部分）に磁性体部１９をそれぞれ設けているもので、このような構成とすることにより、第１のコイル１７と第２のコイル１８の間を交差する磁界を強めることができるため、第１、第２のコイル１７，１８のコモンモード成分のインピーダンスを大きくすることができ、さらに、リーケージインダクタンスも減らすことができる。なお、この磁性体部１９は第１〜第３の絶縁層１１ａ〜１１ｃの周辺部に設けるようにしてもよいものである。
【００２３】
そしてまた、前記第１〜第３の絶縁層１１ａ〜１１ｃの枚数は、図１に示された枚数に限定されるものではない。
【００２４】
前記第１の導電パターン１２は、第１の絶縁層１１ａの上面に直線状に銀などの導電材料を印刷または転写することにより形成されている。また、この第１の導電パターン１２の一端部には第１の引出電極１２ａが接続され、そしてこの第１の引出電極１２ａは第１の絶縁層１１ａの一端面に露出している。
【００２５】
前記第２の導電パターン１３は、第１の絶縁層１１ａの上面に渦巻き状に銀などの導電材料を印刷または転写することにより形成されている。また、この第２の導電パターン１３の一端部には第２の引出電極１３ａが接続され、そしてこの第２の引出電極１３ａは第１の絶縁層１１ａの一端面に露出している。
【００２６】
前記第３の導電パターン１４は、第２の絶縁層１１ｂの上面に渦巻き状に銀などの導電材料を印刷または転写することにより形成されている。また、この第３の導電パターン１４は第１の導電パターン１２と第２の絶縁層１１ｂに形成されたバイア電極（図示せず）を介して接続されている。
【００２７】
前記第４の導電パターン１５は、第２の絶縁層１１ｂの上面に渦巻き状に銀などの導電材料を印刷または転写することにより形成されている。また、この第４の導電パターン１５の一端部には第４の引出電極１５ａが接続され、そしてこの第４の引出電極１５ａは第２の絶縁層１１ｂの一端面に露出している。さらに、この第４の導電パターン１５は第２の導電パターン１３と第２の絶縁層１１ｂに形成されたバイア電極（図示せず）を介して接続され、第２のコイル１８を構成している。
【００２８】
なお、第３の導電パターン１４と第４の導電パターン１５は互いに平行となっている。
【００２９】
前記第５の導電パターン１６は、第３の絶縁層１１ｃの上面に渦巻き状に銀などの導電材料を印刷または転写することにより形成されている。また、この第５の導電パターン１６の一端部には第５の引出電極１６ａが接続され、そしてこの第５の引出電極１６ａは第３の絶縁層１１ｃの一端面に露出している。さらに、この第５の導電パターン１６は第３の導電パターン１４と第３の絶縁層１１ｃに形成されたバイア電極（図示せず）を介して接続され、第１の導電パターン１２、第３の導電パターン１４、第５の導電パターン１６からなる第１のコイル１７を構成している。そして、この第５の導電パターン１６の上面には、その中央部に磁性体部１９を備えたダミー層１１ｄが形成されている。
【００３０】
このとき、第１のコイル１７のインダクタンス値と第２のコイル１８のインダクタンス値が略同一となるようにすれば、第１のコイル１７と第２のコイル１８の平衡度が良くなるため、コモンモードノイズの発生を抑えることができる。ここで、略同一としたのは、コモンモードノイズが使用条件等により許容できる範囲内にあることを意味する。
【００３１】
なお、前記第３の導電パターン１４は、第１の導電パターン１２とは上下方向に対向しないが、第２の導電パターン１３とは第２の絶縁層１１ｂを介して上下方向に対向している。
【００３２】
また、第４の導電パターン１５は、第２の導電パターン１３とは上下方向に対向しないが、第１の導電パターン１２とは第２の絶縁層１１ｂを介して上下方向に対向している。
【００３３】
そしてまた、第５の導電パターン１６は、第３の導電パターン１４とは上下方向に対向しないが、第４の導電パターン１５とは第３の絶縁層１１ｃを介して上下方向に対向している。
【００３４】
すなわち、同一のコイルを構成する導電パターンにおいては、上下方向に近接する導電パターン同士は上下方向には対向せず、かつ他方のコイルを構成する導電パターンとは上下方向に対向している。
【００３５】
また、第１の絶縁層１１ａの下面およびダミー層１１ｄの上面には磁性体層２０がそれぞれ設けられているもので、このような構成とすることにより、第１、第２のコイル１７，１８で発生する磁界を大きくすることができるため、第１、第２のコイル１７，１８のコモンモード成分のインピーダンスを大きくすることができる。なお、第１〜第５の導電パターン１２〜１６は、印刷、転写以外の、めっき、フォトリソ、スパッタ、蒸着により形成してもよい。
【００３６】
そして、上記した構成部品により、図２に示すような積層コイル部品の本体部２１が形成される。また、この本体部２１の両端部には、第１、第２、第４、第５の引出電極１２ａ，１３ａ，１５ａ，１６ａとそれぞれ接続された外部電極２２が形成され、さらに、この外部電極２２の表面には、ニッケルめっき層、すずめっき層が形成されている。
【００３７】
次に、本発明の実施の形態１における積層コイル部品の製造方法について説明する。
【００３８】
図１〜図３において、まず、それぞれの原材料である磁性材料や非磁性材料等の粉体および樹脂からなる混合物により、方形の第１〜第３の絶縁層１１ａ〜１１ｃ、ダミー層１１ｄ、磁性体層２０をそれぞれ所定枚数作製する。このとき、第２、第３の絶縁層１１ｂ，１１ｃの所定箇所に、レーザ、パンチングなどで孔あけ加工をし、この孔に銀を充填して、バイア電極（図示せず）を形成する。また、第１〜第３の絶縁層１１ａ〜１１ｃ、ダミー層１１ｄの中央部にレーザ、パンチングなどで孔あけ加工をし、この孔に磁性材料を充填して、磁性体部１９を形成する。
【００３９】
次に、磁性体層２０の上面に第１の絶縁層１１ａを形成し、その後、第１の絶縁層１１ａの上面に第１、第２の導電パターン１２，１３を印刷または転写によって形成する。
【００４０】
次に、第１、第２の導電パターン１２，１３の上面に、バイア電極が設けられた第２の絶縁層１１ｂを配置する。このとき、第１、第２の導電パターン１２，１３をそれぞれバイア電極と接続する。
【００４１】
次に、第２の絶縁層１１ｂの上面に、第３、第４の導電パターン１４，１５を印刷または転写によって形成する。このとき、バイア電極を介して、第１の導電パターン１２と第３の導電パターン１４とを接続するとともに、第２の導電パターン１３と第４の導電パターン１５とを接続する。
【００４２】
次に、第３、第４の導電パターン１４，１５の上面に、バイア電極が設けられた第３の絶縁層１１ｃを配置する。このとき、第３の導電パターン１４をバイア電極と接続する。
【００４３】
次に、第３の絶縁層１１ｃの上面に第５の導電パターン１６を印刷または転写によって形成する。このとき、バイア電極を介して、第３の導電パターン１４と第５の導電パターン１６とを接続する。
【００４４】
次に、第５の導電パターン１６の上面に、ダミー層１１ｄを配置する。その後、ダミー層１１ｄの上面に磁性体層２０を形成し、積層コイル部品の本体部２１を形成する。
【００４５】
なお、前記第１〜第５の導電パターン１２〜１６を転写によって形成する場合、別途用意したベース板（図示せず）に所定パターン形状の導電パターンをめっきによって形成し、その後、この導電パターンを各絶縁体層に転写することにより形成する。
【００４６】
次に、本体部２１を所定の温度、時間で焼成し、その後、本体部２１の両端面に、銀を印刷することにより外部電極２２を形成する。このとき、露出した第１、第２、第４、第５の引出電極１２ａ，１３ａ，１５ａ，１６ａと外部電極２２とを接続する。
【００４７】
最後に、外部電極２２の表面にめっきによってニッケルめっき層、すずめっき層を形成する。
【００４８】
上記した本発明の実施の形態１においては、第１のコイル１７を構成する第１、第３、第５の導電パターン１２，１４，１６のうち、上下方向に近接する第１の導電パターン１２と第３の導電パターン１４、第３の導電パターン１４と第５の導電パターン１６および第２のコイル１８を構成する第２、第４の導電パターン１３，１５のうち、上下方向に近接する第２の導電パターン１３と第４の導電パターン１５はそれぞれ絶縁層１１ｂ，１１ｃを介して上下に対向していないため、第１のコイル１７において上下方向に近接する導電パターン同士１２と１４間および１４と１６間の距離、第２のコイル１８において上下方向に近接する導電パターン同士１３と１５間の距離は長くなり、これにより、導電パターン１２と１４との間、導電パターン１４と１６との間および導電パターン１３と１５との間に発生する浮遊容量を低下させることができるため、高周波帯域でのコモンモードノイズを除去することができるという効果が得られるものである。
【００４９】
また、少なくとも１枚の絶縁層１１ｂの上面において第１のコイル１７と第２のコイル１８をそれぞれ構成する第３の導電パターン１４と第４の導電パターン１５は互いに平行となるように形成されているため、第１のコイル１７と第２のコイル１８との間の磁気結合が低下することはなく、これにより、第１、第２のコイル１７，１８のコモンモード成分のインピーダンスが低下するのを防止できる。
【００５０】
なお、上記のように第３、第４の導電パターン１４，１５を互いに平行となるように形成しても十分な磁気結合が得られない場合でも、本発明の実施の形態１においては、第１〜第３の絶縁層１１ａ〜１１ｃの中央部に磁性体部１９を設けているため、第１のコイル１７と第２のコイル１８の間を交差する磁界をこの磁性体部１９により強めることができ、これにより、第１、第２のコイル１７，１８のコモンモード成分のインピーダンスが少なくとも低下することはないものである。
【００５１】
そしてまた、第１のコイル１７、第２のコイル１８を構成する導電パターンのうち、第３の導電パターン１４と第４の導電パターン１５のみが互いに平行になるように形成しているため、第１のコイル１７と第２のコイル１８との間に発生する浮遊容量は小さくなり、これにより、ディファレンシャル信号の高周波成分が減衰して信号波形が歪んでしまうこともない。
【００５２】
なお、上記本発明の実施の形態１における積層コイル部品においては、第２のコイル１８を構成する導電パターンを、第２、第４の導電パターン１３，１５の２つのものについて説明したが、第２のコイル１８を構成する導電パターンを第６の導電パターン（図示せず）を含む３つとして、そしてこの第６の導電パターンを第１の絶縁層１１ａの下面に設けるようにしてもよいものである。この場合は、最上部に位置する第５の導電パターン１６、最下部に位置する第６の導電パターンが、それぞれ同一表面上に１つだけ形成されることになるため、この導電パターンの巻き数を多くすることができ、これにより、形状を大きくしなくても第１、第２のコイル１７，１８のインダクタンス値を大きくすることができるものである。
【００５３】
（実施の形態２）
以下、実施の形態２を用いて、本発明の特に請求項８に記載の発明について説明する。
【００５４】
図４は本発明の実施の形態２における積層コイル部品の分解斜視図である。なお、この本発明の実施の形態２においては、上記した本発明の実施の形態１と同様の構成を有するものについては、同一符号を付し、その説明は省略する。
【００５５】
図４において、本発明の実施の形態２が上記した本発明の実施の形態１と相違する点は、磁性体層２０ではなく絶縁基板２３を用い、そして第１の絶縁層１１ａの下面、ダミー層１１ｄの上面にそれぞれ接着層２４を形成し、この接着層２４によって磁性材料からなる絶縁基板２３を第１の絶縁層１１ａの下面、ダミー層１１ｄの上面とそれぞれ貼り合わせるようにしている点である。
【００５６】
このような構成にすれば、第１〜第３の絶縁層１１ａ〜１１ｃ（ダミー層１１ｄ）と、一体焼成できない例えば樹脂基板などの絶縁基板２３とを一体化することができ、さらに、積層性の悪い絶縁基板２３でも接着層２４を設けることによって第１〜第３の絶縁層１１ａ〜１１ｃと容易に積層することができるため、耐圧、難燃性などの用途に応じて第１〜第３の絶縁層１１ａ〜１１ｃの材質、形状や絶縁基板２３の材質、形状の組み合わせを容易に選択することができるという効果が得られるものである。
【００５７】
なお、上記本発明の実施の形態１，２における積層コイル部品においては、各コイル１７，１８をそれぞれ構成する導電パターンの数を、２つまたは３つのものについて説明したが、３つまたは４つ以上としてもよい。
【産業上の利用可能性】
【００５８】
本発明に係る積層コイル部品は、高周波帯域でのコモンモードノイズを除去することができるという効果を有し、デジタル機器やＡＶ機器、情報通信端末等の各種電子機器のノイズ対策として使用されるコモンモードノイズフィルタ等において有用となるものである。
【図面の簡単な説明】
【００５９】
【図１】本発明の実施の形態１における積層コイル部品の分解斜視図
【図２】同積層コイル部品の斜視図
【図３】図１におけるＡ−Ａ線断面図
【図４】本発明の実施の形態２における積層コイル部品の分解斜視図
【図５】従来の積層コイル部品の分解斜視図
【符号の説明】
【００６０】
１１ａ  第１の絶縁層
１１ｂ  第２の絶縁層
１１ｃ  第３の絶縁層
１２  第１の導電パターン
１３  第２の導電パターン
１４  第３の導電パターン
１５  第４の導電パターン
１６  第５の導電パターン
１７  第１のコイル
１８  第２のコイル
１９  磁性体部
２０  磁性体層
２３  絶縁基板
２４  接着層
【図１】
0004830531.tif 000002
【図２】
0004830531.tif 000003
【図３】
0004830531.tif 000004
【図４】
0004830531.tif 000005
【図５】
0004830531.tif 000006